(57)【要約】【課題】地震その他の振動による衝撃等で、釣合おもり案内機構の不具合を確実に防止できる、簡易な構造のエレベータ一用釣合おもりの案内装置を得る。【解決手段】昇降路固定体に多数個の案内具を鉛直方向に互いに離して装着し両案内具列を形成し、釣合おもりの水平投影面における両側にそれぞれ構成され長手が鉛直方向に配置されたガイド縦枠とが、釣合おもりの昇降位置に関わらず鉛直方向において案内条体（ガイド縦枠）に対して互いに隣り合う少なくとも二つが勘合する間隔に配置された案内具を有する釣合おもりの案内装置において、当該釣合おもり８の構造として、両側のガイド縦枠６は、概ね上下端かそれぞれ対向しか釣合おもりの上枠、下枠以内となるよう設けるものとし、両側のガイド縦枠６と、上枠４、下枠５、および上枠・下枠間を所定ピッチ以下で剛固定する構造とした。【選択図】図１
2015117089.tif 000002
【特許請求の範囲】
【請求項１】
昇降路の所定経路を昇降する釣合おもりの水平投影面における両側にそれぞれ装着されて長手が鉛直方向に配置されたガイド縦枠と、上記昇降路の内面を形成する固定体に多数個が鉛直方向に互いに離れて装着されて上記ガイド縦枠と対向する位置に配置され、上記ガイド縦枠側に開口して上記ガイド縦枠が嵌合する案内溝が設けられると共に、上記釣合おもりの昇降位置に関わらず鉛直方向において上記ガイド縦枠に対して互いに隣り合う少なくとも二つが嵌合する間隔に配置された案内具とを備えたエレベーター用釣合おもりの案内装置において、前記ガイド縦枠は、概ね上下端がそれぞれ対向しか釣合おもりの上枠、下枠以内で設けられており、更にガイド縦枠間を、所定ピッチ以下で、複数のつなぎ部材で剛固定されていることを特徴とするエレベーター用釣合おもりの案内装置。
【請求項２】
前記請求項１に記載のエレベーター用釣合おもりの案内装置において、釣合おもりガイド縦枠の上下端は、それぞれ対向した釣合おもりの上下端から、ガイド縦枠間のつなぎ部材を設ける所定ピッチの０.４倍程度以内で突出させる構造としたことを特徴とするエレベーター用釣合おもりの案内装置。
【請求項３】
前記請求項１または請求項２に記載のエレベーター用釣合おもりの案内装置において、釣合おもりガイド縦枠として、汎用品ガイドレールを用いることを特徴とするエレベーター用釣合おもりの案内装置。
【発明の詳細な説明】
【技術分野】
【０００１】
本発明は、エレベーター装置に係り、特に昇降路の所定経路を昇降するエレベーター用釣合おもりの案内装置に関する。
【背景技術】
【０００２】
一般的なエレベーター用釣合おもりの案内装置においては、昇降路に水平方向に互いに離れてガイドレールが立設され、これらのガイドレールの間に昇降路を昇降する釣合おもりが配置される。そして、釣合おもりの立面における四隅にそれぞれシューが装着されて対向したガイドレールに摺動自在に係合される。このような構成によって、釣合おもりがシューを介してガイドレールに案内されて昇降路の所定経路を昇降するように構成されている（例えば特許文献１を参照）。また、エレベーター用釣合おもりの案内装置として、昇降路の全高にわたってガイドレールが立設されている。このためガイドレールの製作やガイドレールの取付用部材の製作やガイドレールの搬送及びガイドレールの据付作業に煩雑な手数が掛かったり、長期間の工程を要したりして費用が嵩むという課題があった。また展望用エレベーターの場合には立設されたガイドレールのために視界が妨げられる状況も発生し得る。
【０００３】
上記の課題を解消するため、簡易な構成によって所要の案内作用を得ることができるエレベーター用釣合おもりの案内装置が提案されている（特許文献２参照）。特許文献２によれば、昇降路の所定経路を昇降する釣合おもりの水平投影面における両側にそれぞれ装着されて長手が鉛直方向に配置された案内条体と、昇降路の内面を形成する固定体に多数個か鉛直方向に互いに離れて装着されて案内条体と対向する位置に配置され、案内条体側に開口して案内条体が嵌合する案内溝が設けられると共に、釣合おもりの昇降イ立置に関わらず鉛直方向において案内条休に対して互いに隣り合う少なくとも二つが嵌合する間隔に配置された案内具とが設けられている。これらの構成により、昇降する釣合おもりが安定した状態で案内具列によって案内されて昇降路における所定経路を昇降して所要の釣合おもりの昇降案内作用を得ることができる。このため、昇降路の全高にわたってガイドレールを立設する必要がなく、ガイドレールの製作、ガイドレールの据付作業を省くことができる。そして、釣合おもりの昇降を案内する部材の構成を簡易化できて工程を短縮でき、エレベーター用釣合おもりの案内装置の費用を低減する効果があることが述べられている。
【先行技術文献】
【特許文献】
【０００４】
【特許文献１】特開昭６１−１６６４８２号公報
【特許文献２】特開２００６−８２９３４号公報
【発明の概要】
【発明が解決しようとする課題】
【０００５】
しかしながら、特許文献２に記載された技術においては、釣合おもりの案内条体は上下端がそれぞれ対向した釣合おもりの上下端よりも突出して設けられるものとされており、また、それぞれの案内条体間の固定は、釣合おもりの上下端においてのみなされており、地震等の場合に、案内条体に間口方向の曲げたわみが発生することを抑制する構造となっていない。一方、釣合おもりの案内条体突出部が外れないようにする構造として、案内条体を水平投影面における釣合おもり側に突出端側よりも幅狭に形成された幅狭部を有するものとし、案内具を案内溝の開口部幅を狭幅化して上記案内条体の狭幅部が通過可能に形成された屈折部を有するものにより、案内条体が案内具から外れることに配慮するものの提案もあるものの、構造的に複雑であり、地震その他の振動による衝撃等で、案内条体の上下端が案内具と衝突、破損するなどの恐れがあった。
【０００６】
本発明は、上述の従来技術における実情からなされたもので、その目的は、釣合おもりの案内具からの外れ等、釣合おもり案内機構の不具合を確実に防止することであり、そもそも案内条体に曲げたわみが発生することを抑制する釣合おもりの案内装置構造とするものである。
【課題を解決するための手段】
【０００７】
前記目的を達成するために、本発明は、昇降路固定体に多数個の案内具を鉛直方向に互いに離して装着した案内具列を形成し、釣合おもりの水平投影面における両側にそれぞれ構成され長手が鉛直方向に配置された案内条体（ガイド縦枠）とが、釣合おもりの昇降位置に関わらず鉛直方向において案内条体（ガイド縦枠）に対して互いに隣り合う少なくとも二つが嵌合する間隔に配置された案内具を有する釣合おもりの案内装置において、当該釣合おもりの構造として、両側のガイド縦枠は、概ね上下端がそれぞれ対向した釣合おもりの上枠、下枠以内となるよう設けるものとし、両側のガイド縦枠と、上枠、下枠、および上枠・下枠間を所定ピッチ以下で剛固定する構造とし、釣合おもりの剛性が確保される構造としたことにある。
【０００８】
これにより、地震力による釣合おもりガイド縦枠に生じる曲げたわみの発生自体をそもそも抑制し、案内具からのかかりが外れることのないものとした。
【発明の効果】
【０００９】
以上説明したように本発明により、釣合おもりのガイド縦枠力卜案内溝から外れる現象を防止可能とした。そのための釣合おもりの構造は、釣合おもりのガイド縦枠間を、上下に所定のピッチ以下で、複数のつなぎ部材で剛固定する構造とし、これらガイド縦枠、ピッチ距離、つなぎ部材や剛固定構造は、設計検討に応じて選択を行える自由度のある構造とした。これにより、エレベーター仕様に応じた釣合おもりの設計を行うことで、釣合おもりの費用の低減や昇降路スペース効率の向上（昇降路寸法縮小化）を達成できる。
【図面の簡単な説明】
【００１０】
【図１】本発明の実施形態１を示す図で、昇降路の要部立面図である。
【図２】図１の視図Ａを示す平面図である。
【図３】本発明の実施形態において、釣合おもりガイド縦枠に、ガイドレールを用いた場合を示す、図２相当図である。
【発明を実施するための形態】
【００１１】
以下本発明の実施形態を、図１〜図３を使用して説明する。
【００１２】
各図において同一または相当の部材や部位については、同一符号を付して説明する。
【００１３】
図１と図２は、本発明の一実施形態を示す図であり、図１は昇降路の要部立面図、図２は図１のＡ−Ａ断面の平面図である。
【００１４】
図１において、釣合おもり３は昇降路１の内面を形成する昇降路壁２の間の所定経路を昇降するように配置されている。釣合おもり３は上枠４と下枠５とガイド縦枠６と複数のつなぎ部材７と複数のおもり８とから構成されている。ここで、釣合おもり３のガイド縦枠６（長さＬ１）は、概ね上下端がそれぞれ対向して釣合おもりの上枠４と下枠５との距離以内で設けられており、更にガイド縦枠間は、所定ピッチ（長さｈ２）以下で配設された複数のつなぎ部材７で剛固定されている。また、釣合おもり３は図示しない駆動機に巻掛けられた主索９に結合され吊持されている。
【００１５】
また、昇降路壁２の表面には複数の案内具１０が、鉛直方向に互いに離れてガイド縦枠６と対向する位置に基板１１によって配置されている。案内具１０はガイド縦枠６側に開口しており、ガイド縦枠６が摺動自在に嵌合する案内溝が形成されると共に、釣合おもり３の昇降位置に関わらず鉛直方向において、ガイド縦枠６に対して互いに隣り合う少なくとも二つが嵌合する間隔に配置されている。このように構成されていることにより、昇降する釣合おもり３のガイド縦枠６は常時４個〜６個の案内具１０と嵌合しながら昇降路壁２の間の所定経路を昇降する。以上の構成により案内具１０による釣合おもり３の昇降案内作用が得られることとなる。
【００１６】
ここで、地震で釣合おもり３に地震力が作用し、釣合おもりガイド縦枠６に、水平荷重が作用した場合にも、ガイド縦枠６は、上下方向に案内具1０により所要ピッチ（Ｌ２）以下で剛固定されているため、曲げたわみの発生が抑制される。そのため、地震時にも、釣合おもりのガイド縦枠６が案内具１０から外れるなどの不具合を起こすことがなく、確実に安全が図られる。
【００１７】
また、釣合おもり3のガイド縦枠６の上下端は、それぞれ対向した釣合おもりの上下端から前述の所定ピッチＬ２の０.４倍程度以内であれば突出させても、外れ防止（ガイド縦枠６の曲げたわみの発生抑制効果）に関して中間部と同等のたわみ抑制効果を得ることが可能と考えられ、支障はない。
【００１８】
以上の構成とすることにより、昇降路１の全高にわたってガイドレールを立設する必要がなく、ガイドレールの製作、ガイドレールの据付作業を省くことができるなど、前述の特許文献２で述べられている効果については、同様に得ることができる。
【００１９】
図３は、釣合おもりのガイド縦枠６に、通常のエレベーター用ガイドレールを用いたものであり、前述の図２に相当する図である。専用のガイド縦枠６を用いず、汎用品のガイドレールを用いることで、標準化を実現してコスト圧縮を図ることができる。
【符号の説明】
【００２０】
１  昇降路
２  昇降路壁
３  釣合おもり
４  上枠
５  下枠
６  ガイド縦枠
７  つなぎ部材
８  おもり
９  主索
１０  案内具
１１  基板
１２  汎用ガイドレール
【図１】
2015117089.tif 000003
【図２】
2015117089.tif 000004
【図３】
2015117089.tif 000005